(57)【要約】【課題】ＰＤＰの放電時におけるノイズ発生を低減する。【解決手段】前面板と放電空間を介して前記前面板と対向配置される背面板とを有するプラズマディスプレイパネルと、前記プラズマディスプレイパネルを保持する外装用筐体と、を備えるプラズマディスプレイ装置であって、前記前面板の画面表示側かつ表示領域内において振動吸収体が前記前面板と接着するように配置され、前記外装用筐体が前記振動吸収体を保持することを特徴とするプラズマディスプレイ装置。【選択図】図４
2012220913.tif 000002
【特許請求の範囲】
【請求項１】
前面板と放電空間を介して前記前面板と対向配置される背面板とを有するプラズマディスプレイパネルと、前記プラズマディスプレイパネルを保持する外装用筐体と、を備えるプラズマディスプレイ装置であって、前記前面板の画面表示側かつ表示領域内において振動吸収体が前記前面板と接着するように配置され、前記振動吸収体は、ガラス板、アクリル系樹脂のいずれかであり、前記外装用筐体が前記振動吸収体を保持することを特徴とするプラズマディスプレイ装置。
【請求項２】
さらに押圧調整器具が前記外装用筐体が前記振動吸収体を保持する領域に配置され、前記押圧調整器具は、外装用筐体の外側から前記前面板の表示面に対して垂直方向に圧力をかけることを特徴とする請求項１に記載のプラズマディスプレイ装置。
【請求項３】
前記前面板は画面を表示する表示領域と画面を表示しない非表示領域とを備え、前記非表示領域において前記振動吸収体と前記前面板との間に空間を有することを特徴とする請求項１に記載のプラズマディスプレイ装置。
【請求項４】
前面板と放電空間を介して前記前面板と対向配置される背面板とを有するプラズマディスプレイパネルと、前記プラズマディスプレイパネルを保持する外装用筐体と、を備えるプラズマディスプレイ装置であって、前記前面板の画面表示側かつ表示領域内において振動吸収体が前記前面板と接着するように配置され、前記振動吸収体は、フィルム状シートであり、
前記振動吸収体は、前記前面板および前記背面板における表示画面側の面積よりも大きく、前記前面板および前記背面板からはみ出したはみ出し部は前記前面板の表示画面に対して水平方向かつ外周方向に張力をかけて固定されることを特徴とするプラズマディスプレイ装置。
【発明の詳細な説明】
【技術分野】
【０００１】
本発明は、プラズマディスプレイパネル（以下、ＰＤＰと示す）を表示デバイスとして用いたプラズマディスプレイ装置（以下、ＰＤＰ装置）に関するものである。
【背景技術】
【０００２】
このＰＤＰ装置に用いられるＰＤＰは、大別して、駆動的にはＡＣ型とＤＣ型があり、放電形式では面放電型と対向放電型の２種類があるが、高精細化、大画面化および製造の簡便性から、現状では、ＰＤＰ装置の主流は、３電極構造の面放電型のものである。
【０００３】
この面放電型のＰＤＰ構造は、少なくとも前面側が透明な一対の基板を基板間に放電空間が形成されるように対向配置するとともに、前記放電空間を複数に仕切るための隔壁を基板に配置し、かつ前記隔壁により仕切られた放電空間で放電が発生するように基板に電極群を配置するとともに放電により発光する赤色、緑色、青色に発光する蛍光体を設けて複数の放電セルを構成したもので、放電により発生する波長の短い真空紫外光によって蛍光体を励起し、赤色、緑色、青色の放電セルからそれぞれ赤色、緑色、青色の可視光を発することによりカラー表示を行っている。
【０００４】
このようなＰＤＰ装置は、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
このようなＰＤＰ装置においては、たとえば、ＰＤＰを構成する基板対の外面のうち、表示領域の外側であり、且つ基板対の対向間隙の周囲において基板対を接合する封止材の内側を筐体が直接基板に押圧力を加えて、基板の共振による動作音を低減している（特許文献１）。
【０００６】
また、前面フィルム状シートがＰＤＰの管面に密着状態に配置され、外枠体で前面フィルム状シートの周囲縁を押圧している方法が開示されている（特許文献２）。
【先行技術文献】
【特許文献】
【０００７】
【特許文献１】特開２００３−２９５７７５号公報
【特許文献２】特開２００３−０６６８５４号公報
【発明の概要】
【発明が解決しようとする課題】
【０００８】
しかし、特許文献１ではＰＤＰを構成する基板対の表示領域内まで押圧力が伝わらず、表示領域内で発生する振動による動作音を十分に抑制することができない。また、特許文献２ではＰＤＰを構成する基板の表示領域内においてフィルム状の押圧力は弱く、表示領域における振動による動作音を十分に抑制することができない。
【０００９】
本発明はこのような現状に鑑みなされたもので、ＰＤＰ装置を放電するときに発生するＰＤＰの表示領域内における共振による動作音を低減することを目的とする。
【課題を解決するための手段】
【００１０】
この課題を解決するために本発明にかかるＰＤＰ装置は、前面板と放電空間を介して前面板と対向配置される背面板とを有するＰＤＰと、ＰＤＰを保持する外装用筐体と、を備えるＰＤＰ装置であって、前面板の画面表示側かつ表示領域内において振動吸収体が前面板と接着するように配置され、外装用筐体は振動吸収体を保持することを特徴とする。
【発明の効果】
【００１１】
本発明によれば、ＰＤＰの表示領域内の振動を低減し、高品質なＰＤＰ装置を提供することができる。
【図面の簡単な説明】
【００１２】
【図１】本発明の一実施の形態によるＰＤＰ装置に用いるパネルの要部を示す斜視図
【図２】本発明の実施形態１におけるＰＤＰの電極配列図
【図３】本発明の実施形態１におけるＰＤＰを用いたＰＤＰ装置の回路ブロック図
【図４】本発明の実施形態１におけるＰＤＰの要部構造を示す断面図
【図５】本発明の実施形態１におけるＰＤＰの音圧レベルを表す図
【図６】本発明の実施形態２におけるＰＤＰの要部構造の変形例を示す断面図
【図７】本発明の実施形態２におけるＰＤＰの要部構造の変形例を示す断面図
【図８】（ａ）本発明の実施形態３におけるＰＤＰの要部構造を示す断面図、（ｂ）本発明の実施形態３におけるＰＤＰの要部構造の変形例を示す断面図
【発明を実施するための形態】
【００１３】
以下、本発明の実施の形態１によるＰＤＰ装置について、図１〜図５を用いて説明する。しかし、本発明の実施の態様はこれに限定されるものではない。
【００１４】
＜実施の形態１＞
１、プラズマディスプレイパネル
まず、ＰＤＰ装置におけるパネルの構造について図１を用いて説明する。
【００１５】
図１は、本発明の一実施の形態によるＰＤＰ装置に用いるプラズマディスプレイパネルを示す図である。
【００１６】
図１に示すように、ＰＤＰは、ガラス製の前面基板４と背面基板１０とを、その間に放電空間３を形成するように対向配置することにより構成されている。前面基板４上には表示電極７を構成する走査電極５と維持電極６とが間に放電ギャップを設けて互いに平行に対をなして複数形成されている。そして、走査電極５および維持電極６を覆うようにガラス材料からなる誘電体層８が形成され、その誘電体層８上にはＭｇＯなどからなる保護層９が形成されている。走査電極５および維持電極６は、ＩＴＯなどの透明電極と、この透明電極に重ねて形成したＡｇからなるバス電極とから構成されている。
【００１７】
また、背面基板１０上には、ガラス材料からなる絶縁体層１１で覆われたストライプ状に配列したＡｇからなる複数のデータ電極１２が設けられ、その絶縁体層１１上には、前面基板４と背面基板１０との間の放電空間３を放電セル１５毎に区切るための井桁状のガラス材料からなる隔壁１３が設けられている。また、絶縁体層１１の表面および隔壁１３の側面に赤色１４Ｒ、緑色１４Ｇ、青色１４Ｂの蛍光体層が設けられている。そして、走査電極５および維持電極６とデータ電極１２とが交差するように前面基板４と背面基板１０とが対向配置されており、その間に形成される放電空間３には、放電ガスとして、例えばネオンとキセノンの混合ガスが封入されている。なお、ＰＤＰ１６の構造は上述したものに限られるわけではなく、例えばストライプ状の隔壁１３を備えたものであってもよい。
【００１８】
次に、ＰＤＰ１６の電極について図２を用いて説明する。図２はこのＰＤＰ１６の電極配列図である。図２に示すように、ＰＤＰ１６の表示領域には、行方向にｎ本の走査電極Ｘ１〜Ｘｎ（図１の走査電極５）およびｎ本の維持電極Ｙ１〜Ｙｎ（図１の維持電極６）が、維持電極Ｙ１−走査電極Ｘ１−走査電極Ｘ２−維持電極Ｙ２・・・・の配列となるように形成され、列方向にｍ本のデータ電極Ａ１〜Ａｍ（図１のデータ電極１２）がｎ本の走査電極Ｘ１〜Ｘｎおよびｎ本の維持電極Ｙ１〜Ｙｎと交差する配列となるように形成されている。そして、１対の走査電極Ｘｉおよび維持電極Ｙｉ（ｉ＝１〜ｎ）と１つのデータ電極Ａｊ（ｊ＝１〜ｍ）とが交差した部分に放電セルが形成され、放電セルは放電空間内にｍ×ｎ個形成されている。
【００１９】
次に、ＰＤＰ装置の回路ブロックについて説明する。
【００２０】
図３は、図１および図２で説明したＰＤＰ１６を用いたＰＤＰ装置の回路ブロック図である。図３に示すように、このＰＤＰ装置は、ＰＤＰ１６、画像信号処理回路１７、データ電極駆動回路１８、走査電極駆動回路１９、維持電極駆動回路２０、タイミング発生回路２１および電源回路（図示せず）を備えている。また、データ電極駆動回路１８は、図１に示すように、ＰＤＰのデータ電極１２の一端に接続され、かつデータ電極１２に電圧を供給するための半導体素子からなる複数のデータドライバを有している。データ電極は、数本ずつのデータ電極１２で１ブロックとして複数のブロックに分割し、そのブロック単位で複数のデータドライバをＰＤＰ１６の下端部の電極引出部に接続して配置している。
【００２１】
図３において、画像信号処理回路１７は、画像信号ｓｉｇをサブフィールド毎の画像データに変換する。データ電極駆動回路１８はサブフィールド毎の画像データを各データ電極Ａ１〜Ａｍに対応する信号に変換し、各データ電極Ａ１〜Ａｍを駆動する。タイミング発生回路２１は水平同期信号Ｈおよび垂直同期信号Ｖをもとにして各種のタイミング信号を発生し、各駆動回路ブロックに供給している。走査電極駆動回路１９はタイミング信号にもとづいて走査電極Ｘ１〜Ｘｎに駆動電圧波形を供給し、維持電極駆動回路２０はタイミング信号にもとづいて維持電極Ｙ１〜Ｙｎに駆動電圧波形を供給する。ここで、走査電極駆動回路１９および維持電極駆動回路２０は、維持パルス発生回路２２を備えている。
【００２２】
２、ＰＤＰの製造方法
２−１、前面板の製造方法
フォトリソグラフィ法によって、前面基板４上に、走査電極５および維持電極６が形成される。走査電極５は、インジウム錫酸化物（ＩＴＯ）などの透明電極と、透明電極に積層された銀（Ａｇ）などからなるバス電極とから構成されている。維持電極６は、ＩＴＯなどの透明電極と、透明電極に積層されたＡｇなどからなるバス電極とから構成されている。
【００２３】
バス電極の材料には、銀（Ａｇ）と銀を結着させるためのガラスフリットと感光性樹脂と溶剤などを含む電極ペーストが用いられる。まず、スクリーン印刷法などによって、電極ペーストが、透明電極が形成された前面基板４に塗布される。次に、乾燥炉によって、電極ペースト中の溶剤が除去される。次に、所定のパターンのフォトマスクを介して、電極ペーストが露光される。
【００２４】
次に、電極ペーストが現像され、バス電極パターンが形成される。最後に、焼成炉によって、バス電極パターンが所定の温度で焼成される。つまり、電極パターン中の感光性樹脂が除去される。また、電極パターン中のガラスフリットが溶融する。その後、室温まで冷却することにより、溶融していたガラスフリットが、ガラス化する。以上の工程によって、バス電極が形成される。
【００２５】
ここで、電極ペーストをスクリーン印刷する方法以外にも、スパッタ法、蒸着法などを用いることができる。
【００２６】
次に、誘電体層８が形成される。誘電体層８の材料には、誘電体ガラスフリットと樹脂と溶剤などを含む誘電体ペーストが用いられる。まずダイコート法などによって、誘電体ペーストが所定の厚みで走査電極５、維持電極６を覆うように前面基板４上に塗布される。次に、乾燥炉によって、誘電体ペースト中の溶剤が除去される。最後に、焼成炉によって、誘電体ペーストが所定の温度で焼成される。つまり、誘電体ペースト中の樹脂が除去される。また、誘電体ガラスフリットが溶融する。その後、室温まで冷却することにより、溶融していた誘電体ガラスフリットが、ガラス化する。以上の工程によって、誘電体層８が形成される。ここで、誘電体ペーストをダイコートする方法以外にも、スクリーン印刷法、スピンコート法などを用いることができる。また、誘電体ペーストを用いずに、ＣＶＤ（Ｃｈｅｍｉｃａｌ  Ｖａｐｏｒ  Ｄｅｐｏｓｉｔｉｏｎ）法などによって、誘電体層８となる膜を形成することもできる。
【００２７】
次に、誘電体層８上に保護層９が形成される。
【００２８】
以上の工程により前面基板４上に走査電極５、維持電極６、誘電体層８および保護層９を有する前面板１が完成する。
【００２９】
２−２、背面板の製造方法
フォトリソグラフィ法によって、背面基板１０上に、データ電極１２が形成される。データ電極１２の材料には、導電性を確保するための銀（Ａｇ）と銀を結着させるためのガラスフリットと感光性樹脂と溶剤などを含むデータ電極ペーストが用いられる。まず、スクリーン印刷法などによって、データ電極ペーストが所定の厚みで背面基板１０上に塗布される。次に、乾燥炉によって、データ電極ペースト中の溶剤が除去される。次に、所定のパターンのフォトマスクを介して、データ電極ペーストが露光される。次に、データ電極ペーストが現像され、データ電極パターンが形成される。最後に、焼成炉によって、データ電極パターンが所定の温度で焼成される。つまり、データ電極パターン中の感光性樹脂が除去される。また、データ電極パターン中のガラスフリットが溶融する。その後、室温まで冷却することにより、溶融していたガラスフリットが、ガラス化する。以上の工程によって、データ電極１２が形成される。ここで、データ電極ペーストをスクリーン印刷する方法以外にも、スパッタ法、蒸着法などを用いることができる。
【００３０】
次に、絶縁体層１１が形成される。絶縁体層１１の材料には、絶縁体ガラスフリットと樹脂と溶剤などを含む絶縁体ペーストが用いられる。まず、スクリーン印刷法などによって、絶縁体ペーストが所定の厚みでデータ電極１２が形成された背面基板１０上にデータ電極１２を覆うように塗布される。次に、乾燥炉によって、絶縁体ペースト中の溶剤が除去される。最後に、焼成炉によって、絶縁体ペーストが所定の温度で焼成される。つまり、絶縁体ペースト中の樹脂が除去される。また、絶縁体ガラスフリットが溶融するその後、室温まで冷却することにより、溶融していた絶縁体ガラスフリットが、ガラス化する。以上の工程によって、絶縁体層１１が形成される。ここで、絶縁体ペーストをスクリーン印刷する方法以外にも、ダイコート法、スピンコート法などを用いることができる。また、絶縁体ペーストを用いずに、ＣＶＤ（Ｃｈｅｍｉｃａｌ  Ｖａｐｏｒ  Ｄｅｐｏｓｉｔｉｏｎ）法などによって、絶縁体層１１となる膜を形成することもできる。
【００３１】
次に、フォトリソグラフィ法によって、隔壁１３が形成される。隔壁１３の材料には、フィラーと、フィラーを結着させるためのガラスフリットと、感光性樹脂と、溶剤などを含む隔壁ペーストが用いられる。まず、ダイコート法などによって、隔壁ペーストが所定の厚みで絶縁体層１１上に塗布される。次に、乾燥炉によって、隔壁ペースト中の溶剤が除去される。次に、所定のパターンのフォトマスクを介して、隔壁ペーストが露光される。次に、隔壁ペーストが現像され、隔壁パターンが形成される。最後に、焼成炉によって、隔壁パターンが所定の温度で焼成される。つまり、隔壁パターン中の感光性樹脂が除去される。また、隔壁パターン中のガラスフリットが溶融する。その後、室温まで冷却することにより、溶融していたガラスフリットが、ガラス化する。以上の工程によって、隔壁１３が形成される。ここで、フォトリソグラフィ法以外にも、サンドブラスト法などを用いることができる。
【００３２】
次に、蛍光体層１４が形成される。蛍光体層１４の材料には、蛍光体粒子とバインダと溶剤などとを含む蛍光体ペーストが用いられる。まず、ディスペンス法などによって、蛍光体ペーストが所定の厚みで隣接する複数の隔壁１３間の絶縁体層１１上および隔壁１３の側面に塗布される。次に、乾燥炉によって、蛍光体ペースト中の溶剤が除去される。最後に、焼成炉によって、蛍光体ペーストが所定の温度で焼成される。つまり、蛍光体ペースト中の樹脂が除去される。以上の工程によって、蛍光体層１４が形成される。ここで、ディスペンス法以外にも、スクリーン印刷法などを用いることができる。
【００３３】
以上の工程により、背面基板１０上に、データ電極１２、絶縁体層１１、隔壁１３および蛍光体層１４を有する背面板２が完成する。
【００３４】
２−３、前面板と背面板との組立方法
まず、ディスペンス法などによって、背面板２の周囲に封着ペーストが塗布される。塗布された封着ペーストは、封着ペースト層（図示せず）を形成する。次に乾燥炉によって、封着ペースト層中の溶剤が除去される。その後、封着ペースト層は、約３５０℃の温度で仮焼成される。仮焼成によって、封着ペースト層中の樹脂成分などが除去される。次に、表示電極７とデータ電極１２とが直交するように、前面板１と背面板２とが対向配置される。
【００３５】
さらに、前面板１と背面板２の周縁部が、クリップなどにより押圧した状態で保持される。この状態で、所定の温度で焼成することにより、低融点ガラス材料が溶融する。その後、室温まで冷却することにより、溶融していた低融点ガラス材料がガラス化する。これにより、前面板１と背面板２とが気密封着される。最後に、放電空間にＮｅ、Ｘｅなどを含む放電ガスが封入されることによりＰＤＰ１６が完成する。
【００３６】
３、ＰＤＰの要部構造について
以下、本発明の実施形態１におけるＰＤＰ装置の要部構造について図４を用いて説明する。
【００３７】
実施の形態１におけるＰＤＰ装置は、前面板と放電空間を介して前面板と対向配置される背面板とを有するプラズマディスプレイパネルと、プラズマディスプレイパネルを保持する外装用筐体と、を備えるプラズマディスプレイ装置であって、前面板の表示面側かつ表示領域内において振動吸収体２３が前面板と接着するように配置され、振動吸収体２３は、ガラス板、アクリル系樹脂板のいずれかであり、外装用筐体は振動吸収体２３を保持することを特徴とする。以下、詳細に説明する。
【００３８】
図４はＰＤＰ１６を用いたＰＤＰ装置の断面図を示し、ＰＤＰ装置の半分は省略している。図４に示すように、ＰＤＰ１６は、前面板１と背面板２とが放電空間を介して対向配置され、画面が表示される表示領域と画面が表示されない非表示領域とを備える。前面板１の画面表示側であり、かつ、表示領域内に接着された振動吸収体２３を備えている。
【００３９】
また、外装用筐体２４は、ＰＤＰ１６と振動吸収体２３とを挟み込むように、粘着樹脂２５などを介して振動吸収体２３と接着して保持している。
【００４０】
本実施の形態では振動吸収体２３は、ＰＤＰ１６の表示領域および非表示領域において前面板１の表示面側に直接密着されている。しかし、ＰＤＰ装置の製造上、振動吸収体２３は、前面板１の表示面側の表示領域に接着されていればよく、また、表示領域内全てが接着されていなくてもよい。
【００４１】
そして、振動吸収体２３は、ＰＤＰ１６の表示領域において映像等を遮らない透明色又は半透明等のガラス板やアクリル系樹脂板である。ガラス板やアクリル系樹脂を構成する材料は、十分な重さを有しかつ表示映像が妨げられない材料であれば適宜選択できる。振動吸収体２３は、ガラス板やアクリル系樹脂が有する重さで、ガラス板やアクリル系樹脂は前面板１の画面表示側である表示領域に接着されている。振動吸収体２３と前面板１の間には、反射防止用フィルターや電磁波防止フィルターなどのフィルムが挟まれていても良い。
【００４２】
その結果、ＰＤＰ１６の表示領域における振動による動作音が抑制されることが可能となる。
【００４３】
なお、図４に示すように本実施の形態では、外装用筐体２４は、ＰＤＰ１６を挟み込むように、粘着樹脂２５を介して振動吸収体２３と接着しているがこれに限らない。
【００４４】
４、ＰＤＰにおける基板の振動による動作音と気圧との関係
本発明の実施形態１におけるＰＤＰ装置について基板の振動による動作音の評価を行った。
【００４５】
図５は、本発明の実施形態１におけるＰＤＰ装置と従来のＰＤＰ装置を用いて動作音を測定し、各気圧における動作音の差を示している。
【００４６】
本発明の実施形態１におけるＰＤＰ装置とは、前面板と放電空間を介して前面板と対向配置される背面板とを有するプラズマディスプレイパネルと、プラズマディスプレイパネルを保持する外装用筐体と、を備えるプラズマディスプレイ装置であって、前面板の表示面側かつ表示領域内において振動吸収体２３が前面板と接着するように配置され、振動吸収体２３は、ガラス板、アクリル系樹脂板のいずれかであり、外装用筐体は振動吸収体２３を保持することを特徴とする。
【００４７】
一方、従来のＰＤＰ装置とは、前面板の表示面側に単に直接フィルム状シートが貼り付けられている。このフィルム状シートは、反射防止用フィルムや電磁波防止フィルムなどである。
【００４８】
次にＰＤＰ装置の放電時における振動により発生する動作音の測定方法を説明する。ＰＤＰ装置は、あらかじめ電源をＯＮし、一定の画面で安定した状態で減圧チャンバー内に設置される。減圧チャンバーは動作音測定に耐えるように外部音を遮断し防音されている。減圧チャンバーにはあらかじめ騒音計が設置されている。本発明の実施形態１におけるＰＤＰ装置と従来のＰＤＰ装置とは別々に測定を行う。各装置の測定では、各々所望の気圧に調整して各々の気圧において騒音測定を行う。本実験では、減圧チャンバー内を７３０ｈＰａ、７５０ｈＰａ、７８０ｈＰａ、７９２ｈＰａ、１０００ｈＰａにおける気圧にそれぞれ調整した。そして、各気圧において発生する振動音を精密騒音計（小野測器製ＬＡ−５５６０）で測定した。測定すると、従来のＰＤＰ装置の音圧（ｄＢ）と本発明の実施の形態１におけるＰＤＰ装置の音圧（ｄＢ）の値が出る。
【００４９】
各値の差を図５に示すように音圧レベル差（ΔｄＢ）とした。つまり、図５に示すように縦軸は音圧レベル差（ΔｄＢ）＝従来のＰＤＰ装置の音圧（ｄＢ）−本発明の実施の形態１におけるＰＤＰ装置の音圧（ｄＢ）であり、横軸は測定した各気圧（ｈＰａ）である。各気圧における音圧レベル差（ΔｄＢ）を○で示している。
【００５０】
図５に示すように、７３０ｈＰａにおいて約６ｄＢの音圧差、７５０ｈＰａにおいて約３ｄＢの音圧差、７８０ｈＰａにおいて約２ｄＢの音圧差、７９２ｈＰａにおいて約１ｄＢの音圧差、１０００ｈＰａにおいて約０．５ｄＢの音圧差があった。つまり、気圧が低くなるほど、従来のＰＤＰ装置よりも本発明の実施の形態１におけるＰＤＰ装置の方が、ＰＤＰ装置の放電時における振動により発生する動作音をより低くすることが可能となることがわかる。
【００５１】
＜実施の形態２＞
次に、本発明の実施形態２におけるＰＤＰの要部構造について図６を用いて説明する。なお、実施の形態１と同様の構成部分については説明を省略する。
【００５２】
図６に示すように実施の形態２において、さらに例えばスペーサー２８などを介して押圧調整ネジ２７を用いている。この押圧調整ネジ２７は、振動吸収体２３が前面板１の表示領域に加える押圧力を調整している。
【００５３】
その結果、気圧に応じて振動吸収体２３の押圧力を適宜調整することが可能となる。
【００５４】
さらに、実施の形態２の変形例として、図７に示す。図７に示すように、前面板１の表示領域内のみと振動吸収体２３とが密着するように、前面板は画面を表示する表示領域と画面を表示しない非表示領域とを備え、非表示領域において振動吸収体２３と前面板１との間に空間を有することを特徴とする。つまり、振動吸収体２３はゆるやかな凹形状を有している。
【００５５】
この形状により、ＰＤＰ１６の外周および振動吸収体２３を外装用筐体２４で挟むことで、前面板１の表示領域内にかかる振動吸収体２３の押圧力はそのほかの領域よりも大きい。したがって、ＰＤＰ装置の放電時に発生する振動による動作音を十分に抑制することが可能となる。振動吸収体２３と前面板１の間には、反射防止用フィルターや電磁波防止フィルターなどのフィルムが挟まれていても良い。
【００５６】
＜実施の形態３＞
次に、本発明の実施形態３におけるＰＤＰの要部構造について図８（ａ）と（ｂ）とを用いて説明する。
【００５７】
図８の（ａ）では、振動吸収体２３として、フィルム状シートを用いる。フィルム状シートとしては反射防止用フィルムや電磁波防止フィルムなど従来用いられているフィルムであってもよい。外装用筐体２４は、ＰＤＰ１６を挟み込むように、粘着樹脂２５を介して振動吸収体２３が接着されている。
【００５８】
フィルム状シートは、前面板１および背面板２よりも大きい。フィルム状シートは前面板１に密着するように貼り付け、前面板１および背面板２よりはみ出したはみ出し部分を外装用筐体２４の内面に折り込む。そして、はみ出し部分を折り込む際、フィルム状シートは、前面板１の画像表示面に対して水平方向にテンションが加わった状態で外装用筐体２４に固定させる。つまり、振動吸収体２３は前面板１の画像表示面に対して水平方向にテンションが加わった状態である方が、前面板１の画像表示面に振動吸収体２３を単に貼り付けた構造よりも前面板１に密着するように振動吸収体２３が貼り付けられている。
【００５９】
その結果、ＰＤＰ装置を放電する際に発生する振動による動作音を抑制することが可能となる。振動吸収体２３と前面板１の間には、反射防止用フィルターや電磁波防止フィルターなどのフィルムが挟まれていても良い。
【００６０】
また、実施の形態３の変形例を図８（ｂ）を用いて説明する。図８（ｂ）では、振動吸収体２３としてフィルム状シートを用いている。フィルム状シートの大きさは、前面板１および背面板２よりも大きい。外装用筐体２４は、フィルム状シートとＰＤＰ１６を粘着樹脂を介して挟み込むように保持している。外装用筐体２４の内側に有する空間にテンション調整治具２９が設けられている。テンション調整治具２９は、例えばローラーのようなものでフィルム状シートの外端をローラーに接着して巻き取る方式などを用いる。テンション調整治具が、フィルムシートの外端を巻き込むことで、前面板１の表示面に対して水平方向に振動吸収体２３のテンションを調整することができる。その結果、ＰＤＰ装置を放電する際に発生するＰＤＰ１６の振動による動作音を抑制することが可能となる。なお、テンション調整治具２９はローラーに限らずネジなど、振動吸収体２３を巻き取ることができるものであれば適宜選択できる。
【００６１】
＜実施形態の特徴＞
上記実施形態において特徴的な部分を以下に列記する。なお、上記実施形態に含まれる発明は、以下に限定されるものではない。なお、各構成の後ろに括弧で記載したものは、各構成の具体例である。各構成はこれらの具体例に限定されるものではない。
（１）
本発明のＰＤＰ装置は、前面板（１）と放電空間（３）を介して前面板（１）と対向配置される背面板（２）とを有するＰＤＰ（１６）と、ＰＤＰ（１６）を保持する外装用筐体（２４）と、を備えるＰＤＰ装置であって、前面板（１）の画面表示側かつ表示領域内において振動吸収体（２３）が前面板（１）と接着するように配置され、振動吸収体（２３）は、ガラス板、アクリル系樹脂のいずれかであり、外装用筐体（２４）が振動吸収体（２３）を保持することを特徴とする。
【００６２】
これにより、プラズマディスプレイパネルの表示領域内の振動を低減し、高品質なプラズマディスプレイ装置を提供することができる。
（２）
（１）に記載のプラズマディスプレイ装置であって、さらに押圧調整器具（２７）は外装用筐体（２４）が振動吸収体（２３）を保持する領域に配置され、押圧調整器具（２７）は、外装用筐体（２４）の外側から前面板（１）の表示面に対して垂直方向に圧力をかけることを特徴とする。
【００６３】
これにより、振動吸収体（２３）の前面板（１）への接着圧力を適宜調整することが可能となる。
（３）
（１）に記載のプラズマディスプレイ装置であって、前面板（１）は画面を表示する表示領域と画面を表示しない非表示領域とを備え、非表示領域において振動吸収体（２３）と前面板（１）との間に空間を有することを特徴とする。
【００６４】
これにより、外装用筐体の保持力がより小さくても振動吸収体（２３）は前面板（１）に対して十分押圧するため、表示領域内における振動による動作音を低減することが可能となる。
（４）
前面板（１）と放電空間（３）を介して前面板（１）と対向配置される背面板（２）とを有するＰＤＰ（１６）と、ＰＤＰ（１６）を保持する外装用筐体と、を備えるプラズマディスプレイ装置であって、前面板（１）の画面表示側かつ表示領域内において振動吸収体（２３）が前面板（１）と接着するように配置され、振動吸収体（２３）は、フィルム状シートであり、振動吸収体（２３）は、前面板（１）および背面板（２）における表示画面側の面積よりも大きく、前面板（１）および背面板（２）からはみ出したはみ出し部は前面板（１）の表示画面に対して水平方向かつ外周方向に張力をかけて固定されることを特徴とする。
【００６５】
これにより、プラズマディスプレイパネルの表示領域内の振動を低減し、かつ薄型の高品質なプラズマディスプレイ装置を提供することができる。
【産業上の利用可能性】
【００６６】
以上のように本発明は、高画質で低消費電力のプラズマディスプレイ装置を提供する上で有用な発明である。
【符号の説明】
【００６７】
１  前面板
２  背面板
３  放電空間
４  前面基板
５  走査電極
６  維持電極
７  表示電極
８  誘電体層
９  保護層
１０  背面基板
１１  絶縁体層
１２  データ電極
１３  隔壁
１４Ｒ  赤色蛍光体層
１４Ｇ  緑色蛍光体層
１４Ｂ  青色蛍光体層
１５  放電セル
１６  ＰＤＰ
１７  画像信号処理回路
１８  データ電極駆動回路
１９  走査電極駆動回路
２０  維持電極駆動回路
２１  タイミング発生回路
２２  維持パルス発生回路
２３  振動吸収体
２４  外装用筐体
２５  粘着樹脂
２７  押圧調整ネジ
２８  スペーサー
２９  テンション調整治具
【図１】
2012220913.tif 000003
【図２】
2012220913.tif 000004
【図３】
2012220913.tif 000005
【図４】
2012220913.tif 000006
【図５】
2012220913.tif 000007
【図６】
2012220913.tif 000008
【図７】
2012220913.tif 000009
【図８】
2012220913.tif 000010